(57)【要約】【課題】操作者が、車両に対し少なくとも２つの角度から車両を快適に操作できる、スペースを取らない座席配置を提供する。【解決手段】座席装置は、作業車両の操作者の座席として、胴支持部、および半座支持部または部分的支持部を備える。胴支持部は、操作者が半立ち姿勢で胴支持部に寄り掛かったとき胴体を支持し、第１の操作者姿勢では背もたれとして働き、第２の操作者姿勢では前もたれとして働くような形状になっている。半座支持部は、第１の操作者姿勢のときだけ部分的な座支持部として働く。座席装置は、さらに格納可能な別の座支持部、肘掛部、高さ調節補助機構、および／または制御卓を備え得る。【選択図】図１
2006168727.tif 000002
【特許請求の範囲】
【請求項１】
胴支持部と、
半座支持部と
を備える２通りに使用可能な座席であって、前記胴支持部は、操作者が第１の操作者姿勢を取ったときには背もたれとして働き、操作者が第２の操作者姿勢を取ったときには前もたれとして働くように形作られ、前記半座支持部は、操作者が第１の操作者姿勢を取ったときには部分的に座を支持するように形作られ、前記半座支持部は、操作者が第２の操作者姿勢を取ったときには支持を行わず、前記半座支持部と前記胴支持部が一体になっている２通りに使用可能な座席。
【請求項２】
少なくとも１つの肘掛部をさらに備え、前記肘掛部が前記胴支持部と一体化されている、請求項１に記載の２通りに使用可能な座席。
【請求項３】
前記少なくとも１つの肘掛部は、操作者が第２の操作者姿勢を取ったときにのみ役立つような構造にされている、請求項２に記載の２通りに使用可能な座席。
【請求項４】
前記胴支持部と一体化された制御卓をさらに備え、前記制御卓が、前記胴支持部の第２の側に配置されている、請求項１に記載の２通りに使用可能な座席。
【請求項５】
調節可能な腰掛横木をさらに備える、請求項１に記載の２通りに使用可能な座席。
【請求項６】
前記調節可能な腰掛横木が、２つの位置を取る、請求項５に記載の２通りに使用可能な座席。
【請求項７】
前記２つの位置が、座を支持する位置と格納位置とを含み、前記格納位置では支持を行わない、請求項６に記載の２通りに使用可能な座席。
【請求項８】
前記第１の操作者姿勢は、ほとんど立った姿勢である、請求項１に記載の２通りに使用可能な座席。
【請求項９】
前記第２の操作者姿勢は、ほとんど立った姿勢である、請求項１に記載の２通りに使用可能な座席。
【請求項１０】
高さ調節補助機構をさらに備える、請求項１に記載の２通りに使用可能な座席。
【発明の詳細な説明】
【技術分野】
【０００１】
本発明は、作業車両の座席に関する。より詳細には、たとえば第１の操作姿勢はローダを操作する姿勢であり、第２の操作姿勢はバックホーを操作する姿勢である第１の操作姿勢と第２の操作姿勢が取られる小型ローダ・バックホーのような、多用途作業車両の操作者を快適に支える装置および方法に関する。
【背景技術】
【０００２】
作業車両用の従来の座席は、深く座った操作者姿勢で車両を操作するように設計されている。操作者が、異なる座席角度位置から車両の作業状態を制御する必要がある、たとえばローダ・バックホーのような多用途車両では、座席は従来、必要なそれぞれの角度に回転するように設計されてきた。従来からスペースが問題である極めて小型の車両では、座席が設けられていないものも多い。そのような場合、車両操作者は、立った姿勢で車両を操作する必要がある。
【発明の開示】
【発明が解決しようとする課題】
【０００３】
多用途小型車両では、掘削作業が完成するのに何時間または何日間も掛かることがあり、完全に立った姿勢は、肉体的に疲労するので実際的ではない。また、深く座った姿勢は、スペースが取れない車両内に回転可能な座席を必要とするので、実現できないことが多い。そのような状況から、スペースを取らない座席配置で、操作者が、車両に対し少なくとも２つの角度から車両を快適に操作できることが必要になる。
【課題を解決するための手段】
【０００４】
本発明は、小型ローダ・バックホーなどの多用途車両上で作業を実施するときの幾多の作業姿勢のうちで、半立ち姿勢を車両操作者が取ることができる座席装置を提供する。座席装置は、第１の部分、または胴支持部、および第２の部分、または胴支持部と一体になった部分的座支持部を提供する。胴支持部は、第１の操作者姿勢では背もたれとして働き、第２の操作者姿勢では前もたれとして働くように設計された座席装置の第１の端部にある比較的幅の広い部分である。胴支持部は、背もたれとして使用されるとき作業者の胴の背中部分を支え、前もたれとして使用されるとき作業者の胴の前の部分を支える。第１の部分が狭まり、作業者の方へ曲がって、座席装置の第２の部分位置で短い支持部、すなわち部分または半座支持部を形成する。座席装置は、様々な身長および体格の作業者に対応できるように、高さ調節部を有し得る。１つの操作モードからもう１つの操作モードへ移行するには、作業者には、必要な姿勢に身体の向きを変え、胴支持部を背もたれまたは前もたれのいずれかとして使用し、必要に応じて半座支持部を部分的座支持部として使用することが求められるだけである。
【０００５】
本発明の実施形態を、添付図面を参照して下記に詳述する。
【発明を実施するための最良の形態】
【０００６】
図１は、本発明の例示的実施形態（座席装置１００参照）を組み込んだ小型作業車両、すなわち屈折式小型ローダ・バックホーまたはスイングステア１の斜視図である。図１に示されるスイングステア１は、ローダ部分１０と、運転台３０と、バックホー部分４０とを備える。ローダ部分１０は、前輪１１とローダ機構２０とを備える。また、ローダ部分１０には、エンジン（図示せず）と、油圧ポンプ（図示せず）と、トランスミッション（図示せず）とが含まれている。バックホー部分４０は、後輪４１とバックホー機構５０と、ステアリング機構６０とを備える。運転台３０は、制御部３１および３２と、ロールバー３３と、座席装置１００とを備える。
【０００７】
図２は、図１に示された座席装置１００の斜視図である。図２に示されるように、本発明のこの例示的実施形態の座席装置１００は、胴支持部１１０および半座支持部１２０を有する全体操作者支持部１０５と、肘掛部１３０と、プラスチック回り縁支持部１４０と、制御レバー１５３、１５４用開口１５１、１５２を有する制御卓モールディング１５０と、腰掛横木アセンブリ１６０と、高さ調節補助機構１７０とを備える。この例示的実施形態の高さ調節補助機構１７０は、従来の油圧機構であり、したがってここでは詳述しない。この特定の実施形態では、高さ調節は、胴支持部が取り付けられている雌摺動部１３２と雄摺動部１３３との相対移動を介して最終的に達成される。高さ調節中は、雌摺動部１３２が雄摺動部１３３上を摺動する。
【０００８】
胴支持部１１０は、ローダ操作中、すなわち操作者がローダ部分１０に向かっているときは快適な背もたれを提供し、バックホー操作中、すなわち操作者がバックホー部分４０に向かっているときは、胴体に快適な前もたれを提供するような外形になっている。胴支持部１１０の頂上に向かってそれと一体になるように肘掛部１３０が設けられている。操作者支持部１０５は、胴支持部１１０の底部に向かうに従って狭まり、ローダ部分１０に向かって突き出して半座支持部１２０を形成する。半座支持部１２０は、ローダ操作中は操作者の座席として部分的な支持部を提供し、バックホー操作中は、ほとんど支持をせず邪魔にならないような形状と寸法になっている。
【０００９】
この例示的実施形態の胴支持部１１０は、制御卓１５０と、しっかりと取り付けられた腰掛横木支持ブラケット１３２ａを有する雌摺動部１３２とにしっかりと取り付けられている。腰掛横木アセンブリ１６０の腰掛横木１６１は、図２および３に示すように、作動的に支持ブラケット１３２ａに取り付けられ、随時、操作者の座席として追加支持部を提供する。図２および３に示すように、腰掛横木１６１には２つの位置がある。操作者の座席として追加支持部を提供する図２に示す支持位置と、バックホー操作中の操作者を妨害しないようにする図３に示す格納位置である。
【００１０】
バックホー操作用の制御部１５０ａが突き出す開口１５１、１５２を有する制御卓１５０が、胴支持部１１０からバックホー部分４０に向かって突出している。また、図１に示される回り縁１４０ａを支持しその形状を維持するプラスチック回り縁支持部１４０が、雌摺動部１３２と制御卓１５０とにしっかりと取り付けられている。
【００１１】
図示のスイングステア１の作業操作中は、車両操作者は単に、ローダ部分１０、またはバックホー部分４０に向かういずれかの姿勢を取り、胴支持部１１０をそれぞれ背もたれ、または前もたれとして利用してそれに寄り掛かればよい。ローダ操作中は、半座支持部１２０は、操作者の座の一部を支えることができ、腰掛横木１６１は、図２に示す支持位置で、操作者の座席として追加の支持部を随時提供することができる。バックホー操作中は、腰掛横木１６１は、図３に示されるように、格納位置に具合良く収められ、また、操作者の腕は、肘掛部１３０上に置かれることによりバックホー制御部１５０ａへの快適なアクセスが可能になり、操作者の腕の疲労を未然に低減する。
【００１２】
例示的実施形態を記述してきたが、添付の特許請求の範囲に定義された本発明の範囲から逸脱することなく、様々な変更が加えられることは明らかであろう。
【図面の簡単な説明】
【００１３】
【図１】本発明の例示的実施形態を有する作業車両の斜視図である。
【図２】腰掛横木が引き出されている本発明の例示的実施形態の斜視図である。
【図３】腰掛横木が格納されている図２の実施形態の斜視図である。
【図４】図２に示す例示的実施形態の分解組立図である。
【符号の説明】
【００１４】
１  スイングステア
１０  ローダ部分
１１  前輪
２０  ローダ機構
３０  運転台
３１  制御部
３２  制御部
３３  ロールバー
４０  バックホー部分
４１  後輪
５０  バックホー機構
６０  ステアリング機構
１００  座席装置
１０５  全体操作者支持部
１１０  胴支持部
１２０  半座支持部
１３０  肘掛部
１３２  雌摺動部
１３２ａ  腰掛横木支持ブラケット
１３３  雄摺動部
１４０  プラスチック回り縁支持部
１４０ａ  回り縁
１５０  制御卓
１５０ａ  バックホー制御部
１５１  開口
１５２  開口
１５３  制御レバー
１５４  制御レバー
１６０  腰掛横木アセンブリ
１６１  腰掛横木
１７０  高さ調節補助機構
【図１】
2006168727.tif 000003
【図２】
2006168727.tif 000004
【図３】
2006168727.tif 000005
【図４】
2006168727.tif 000006
【外国語明細書】
2006168727000001.pdf